(57)【要約】【課題】既存の装置構成を複雑化することなく、新たな洗浄感を適切に与える。【解決手段】人体局部に向けて洗浄水を噴出する２本のノズルが設けられた洗浄便座装置は、２本のノズルをそれぞれ進退させる駆動部と、２本のノズルのいずれか一方または両方同時に洗浄水を供給可能に構成された供給部と、２本のノズルをいずれも進出させて、２本のノズルから人体局部に向けて洗浄水を噴出させるように、駆動部と供給部とを制御可能な制御部と、を備えるものである。【選択図】図２
2020176413.tif 000002
【特許請求の範囲】
【請求項１】
人体局部に向けて洗浄水を噴出する２本のノズルが設けられた洗浄便座装置であって、
前記２本のノズルをそれぞれ進退させる駆動部と、
前記２本のノズルのいずれか一方または両方同時に洗浄水を供給可能に構成された供給部と、
前記２本のノズルをいずれも進出させて、該２本のノズルから人体局部に向けて洗浄水を噴出させるように、前記駆動部と前記供給部とを制御可能な制御部と、
を備える洗浄便座装置。
【請求項２】
請求項１に記載の洗浄便座装置であって、
前記制御部は、前記２本のノズルのうち一方のノズルを所定の洗浄位置に固定させて洗浄水を噴出させると共に他方のノズルを進退方向に揺動させながら洗浄水を噴出させるように、前記駆動部と前記供給部とを制御可能である
洗浄便座装置。
【請求項３】
請求項１または２に記載の洗浄便座装置であって、
前記制御部は、前記２本のノズルをそれぞれ進退方向に互い違いに揺動させながら洗浄水を噴出させるように、前記駆動部と前記供給部とを制御可能である
洗浄便座装置。
【請求項４】
請求項１ないし３のいずれか１項に記載の洗浄便座装置であって、
前記制御部は、前記２本のノズルをそれぞれ所定の洗浄位置に固定させて洗浄水を交互に噴出させるように、前記駆動部と前記供給部とを制御可能である
洗浄便座装置。
【請求項５】
請求項１ないし４のいずれか１項に記載の洗浄便座装置であって、
前記２本のノズルと前記供給部とは、該２本のノズルから噴出される洗浄水の水量、水温、洗浄強さ、洗浄範囲の少なくともいずれかが異なるように構成されている
洗浄便座装置。
【発明の詳細な説明】
【技術分野】
【０００１】
本発明は、洗浄便座装置に関する。
【背景技術】
【０００２】
従来、この種の洗浄便座装置としては、人体局部に向けて洗浄水を噴出するノズルと、ノズルを進退させる駆動部と、ノズルに洗浄水を供給する供給部とを備えるものが提案されている。例えば、特許文献１の洗浄便座装置では、駆動部として、ノズルを前後方向に移動させる前後移動手段と、ノズルを左右方向に移動させる左右移動手段とを備える。そして、洗浄水を噴出する際には、前後移動手段と左右移動手段とを駆動してノズルが所定軌道を描くことで、洗浄水が所定軌道に沿って噴出される。
【０００３】
また、特許文献２の洗浄便座装置では、ノズル内に、洗浄水が流入する流入室が形成され、その流入室内に傾斜した姿勢で首振り可能に組み込まれると共に吐水口が室外に露出した吐水体を備える。そして、流入室に接線方向に洗浄水を供給することで、流入室の内壁面に沿って旋回流を起こすと共に室内の流速差による力で吐水体を首振り運動させる。これにより、吐水口に導かれた洗浄水は、首振り箇所を頂点とする円錐状に吐水される。
【先行技術文献】
【特許文献】
【０００４】
【特許文献１】特開２０１４−３７７３５号公報
【特許文献２】特許第３５１８５４２号公報
【発明の概要】
【発明が解決しようとする課題】
【０００５】
上述した洗浄便座装置は、洗浄範囲を拡大して新たな洗浄感を与えるものであるが、１本のノズルを用いるため洗浄範囲が拡大するほど洗浄水の勢いが弱くなって洗浄感が低下する場合がある。このため、そのようなことがないように、既存の装置構成に変更を加えることも考えられるが、大きな変更が必要となって装置構成が複雑化し、耐久性などの信頼性が低下することがある。
【０００６】
本発明は、既存の装置構成を複雑化することなく、新たな洗浄感を適切に与えることを主目的とする。
【課題を解決するための手段】
【０００７】
本発明は、上述の主目的を達成するために以下の手段を採った。
【０００８】
本発明の洗浄便座装置は、
人体局部に向けて洗浄水を噴出する２本のノズルが設けられた洗浄便座装置であって、
前記２本のノズルをそれぞれ進退させる駆動部と、
前記２本のノズルのいずれか一方または両方同時に洗浄水を供給可能に構成された供給部と、
前記２本のノズルをいずれも進出させて、該２本のノズルから人体局部に向けて洗浄水を噴出させるように、前記駆動部と前記供給部とを制御可能な制御部と、
を備えることを要旨とする。
【０００９】
本発明の洗浄便座装置は、人体局部に向けて洗浄水を噴出する２本のノズルが設けられたものにおいて、２本のノズルをいずれも進出させて２本のノズルから人体局部に向けて洗浄水を噴出するように制御可能である。このため、ノズルに新たな駆動装置や吐水装置を増設することなく洗浄範囲の拡大や洗浄感の向上を可能とすることができる。したがって、既存の装置構成を複雑化することなく、新たな洗浄感を適切に与えることができる。
【００１０】
本発明の洗浄便座装置において、前記制御部は、前記２本のノズルのうち一方のノズルを所定の洗浄位置に固定させて洗浄水を噴出させると共に他方のノズルを進退方向に揺動させながら洗浄水を噴出させるように、前記駆動部と前記供給部とを制御可能であるものとすることもできる。こうすれば、固定されたノズルからの洗浄水と、揺動させたノズルからの洗浄水とを同時に人体局部に噴出させるから新たな洗浄感を与えることができる。
【００１１】
本発明の洗浄便座装置において、前記制御部は、前記２本のノズルをそれぞれ進退方向に互い違いに揺動させながら洗浄水を噴出させるように、前記駆動部と前記供給部とを制御可能であるものとすることもできる。こうすれば、２本のノズルを共に揺動させながら洗浄水を同時に人体局部に噴出させるから新たな洗浄感を与えることができる。
【００１２】
本発明の洗浄便座装置において、前記制御部は、前記２本のノズルをそれぞれ所定の洗浄位置に固定させて洗浄水を交互に噴出させるように、前記駆動部と前記供給部とを制御可能であるものとすることもできる。こうすれば、２本のノズルからの洗浄水を交互に人体局部に噴出させるから新たな洗浄感を与えることができる。
【００１３】
本発明の洗浄便座装置において、前記２本のノズルと前記供給部とは、該２本のノズルから噴出される洗浄水の水量、水温、洗浄強さ、洗浄範囲の少なくともいずれかが異なるように構成されているものとすることもできる。こうすれば、２本のノズルから噴出される洗浄水による洗浄のバリエーションを増やすことができるから、洗浄感をさらに向上させることができる。
【図面の簡単な説明】
【００１４】
【図１】洗浄便座装置１０の外観斜視図である。
【図２】洗浄便座装置１０の構成の概略を示す構成図である。
【図３】各ノズルの先端部材４１，４３を示す構成図である。
【図４】洗浄制御ルーチンの一例を示すフローチャートである。
【図５】おしり洗浄パターンの洗浄動作イメージの一例を示す説明図である。
【図６】ビデ洗浄パターンの洗浄動作イメージの一例を示す説明図である。
【図７】変形例の洗浄便座装置１０Ｂの構成の概略を示す構成図である。
【図８】変形例の先端部材４１，４３Ｂを示す構成図である。
【発明を実施するための形態】
【００１５】
次に、本発明を実施するための形態について説明する。
【００１６】
図１は、洗浄便座装置１０の外観斜視図であり、図２は、洗浄便座装置１０の構成の概略を示す構成図である。洗浄便座装置１０は、図１に示すように、便器１の上面に取り付けられ、便座装置本体１２と、便座装置本体１２に対して開閉可能に支持された便座１４と、便座装置本体１２に対して開閉可能に支持された便蓋１６と、使用者による各種操作が可能な操作パネル１８とを備える。
【００１７】
便座装置本体１２は、図２に示すように、洗浄水を供給する給水路２０と、供給された洗浄水を人体局部に噴出するためのノズルユニット３０と、装置全体を制御する制御装置５０とを備える。
【００１８】
給水路２０には、給水源から止水電磁弁２２を介して供給される洗浄水の圧力を所定圧に減圧する減圧弁２４、洗浄水を加温する熱交換ユニット２６、洗浄水の温度を検出する水温センサ２８、洗浄水の流量を検出する流量センサ２９が設けられている。なお、熱交換ユニット２６は、本実施形態では、例えば１２００Ｗ程度の定格出力を有するセラミックヒータ等を内蔵し、洗浄水を瞬間的に加温可能な瞬間式の熱交換ユニットとして構成されている。
【００１９】
ノズルユニット３０は、洗浄の強さを調整する脈動ポンプ３２と、バキュームブレーカ３４と、切替バルブ３６と、第１ノズル４０と、第２ノズル４２とを備える。また、ノズルユニット３０は、モータ４４ａと図示しないギヤ機構により第１ノズル４０を進退移動させる第１ノズル駆動部４４と、モータ４６ａと図示しないギヤ機構により第２ノズル４２を進退移動させる第２ノズル駆動部４６とを備える。第１ノズル４０および第２ノズル４２は、それぞれ、第１ノズル駆動部４４および第２ノズル駆動部４６により、図示しないノズルケースに格納された格納位置と、ノズルケースから進出して洗浄水を噴出する洗浄位置との間で進退移動が可能となっている。
【００２０】
図３は各ノズルの先端部材４１，４３を示す構成図である。図示するように、第１ノズル４０の先端部材４１は、比較的大きな１の開口から直進性の高い洗浄水を噴出する直進噴出口４１ａと、比較的小さな複数の開口から広い洗浄範囲に洗浄水を噴出する拡散噴出口４１ｂとが形成されている。また、本実施形態では、第２ノズルの先端部材４３も、先端部材４１と同様に、直進噴出口４３ａと、拡散噴出口４３ｂとが形成されている。
【００２１】
また、切替バルブ３６は、例えばロータリディスクバルブとして構成されており、脈動ポンプ３２から流入口を介して供給された洗浄水を、複数の流出口のいずれから流出させるかを切り替えるものである。切替バルブ３６の各流出口は、第１ノズル４０の直進噴出口４１ａと、拡散噴出口４１ｂと、第２ノズル４２の直進噴出口４３ａと、拡散噴出口４３ｂとに、それぞれ供給ホース３６ａ，３６ｂ，３６ｃ，３６ｄを介して接続されている。この切替バルブ３６は、図示は省略するが、バルブ本体内に、脈動ポンプ３２からの洗浄水の流入路が形成されたディスク状の弁体と、各流出口に繋がる複数の流出路が形成されたディスク状の弁体とを備え、図示しないモータを駆動して弁体を回転させることにより流入路と流出路との連通状態を切り替えるように構成されている。このため、切替バルブ３６は、直進噴出口４１ａと、拡散噴出口４１ｂと、直進噴出口４３ａと、拡散噴出口４３ｂとのいずれかの噴出口に洗浄水を供給することができる。また、切替バルブ３６は、流入路が複数の流出路と同時に連通する連通状態となることにより、２つの流出口から洗浄水を同時に流出させて、複数の噴出口に洗浄水を同時に供給可能に構成されている。例えば、切替バルブ３６は、直進噴出口４１ａと直進噴出口４３ａとに洗浄水を同時に供給する連通状態と、直進噴出口４１ａと拡散噴出口４３ｂとに洗浄水を同時に供給する連通状態と、拡散噴出口４１ｂと拡散噴出口４３ｂとに洗浄水を同時に供給する連通状態とに切替可能に構成されている。なお、切替バルブ３６が２つの経路に洗浄水を同時に供給可能な構成は、特開２００８−２４０４０３号公報に記載されているように周知であるため、詳細な説明は省略する。
【００２２】
操作パネル１８には、おしり洗浄を指示するおしり洗浄スイッチ１８ａ、ビデ洗浄を指示するビデ洗浄スイッチ１８ｂ、ロック＆ムーブ洗浄を指示するロック＆ムーブスイッチ１８ｃ、クリスクロス洗浄を指示するクリスクロススイッチ１８ｄ、サイドステップ洗浄を指示するサイドステップスイッチ１８ｅ、洗浄の停止を指示する洗浄停止スイッチ１８ｆ、洗浄水の温度を調整する温度調整スイッチ１８ｇ、洗浄水の勢いを調整する水勢調整スイッチ１８ｈなどが設けられている。なお、ロック＆ムーブ洗浄と、クリスクロス洗浄と、サイドステップ洗浄は、第１ノズル４０と第２ノズル４２との２本のノズルをいずれも洗浄位置まで進出させて洗浄水を噴出させる洗浄態様であり、詳細は後述する。
【００２３】
制御装置５０は、ＣＰＵ５２を中心とするマイクロコンピュータとして構成されており、ＣＰＵ５２の他にＲＯＭ５４やＲＡＭ５６，タイマ５８，入出力ポートを備える。制御装置５０には、操作パネル１８からの操作信号や使用者の便座１４への着座を検知する着座センサ１９からの着座信号、水温センサ２８からの検出水温、流量センサ２９からの検出流量などが入力ポートを介して入力されている。制御装置５０からは、止水電磁弁２２への駆動信号や熱交換ユニット２６への制御信号、脈動ポンプ３２への駆動信号、切替バルブ３６への駆動信号、第１ノズル駆動部４４のモータ４４ａへの駆動信号、第２ノズル駆動部４６のモータ４６ａへの駆動信号などが出力ポートを介して出力されている。
【００２４】
次に、こうして構成された実施形態の洗浄便座装置１０の動作、特に人体局部の洗浄を行う場合の動作について説明する。図４は、制御装置５０のＣＰＵ５２により実行される洗浄制御ルーチンの一例を示すフローチャートである。このルーチンは、着座センサ１９からの着座信号により、便座１４への使用者の着座を検知している場合に実行される。
【００２５】
制御装置５０のＣＰＵ５２は、まず、人体局部の洗浄開始が指示されるのを待つ（Ｓ１００）。Ｓ１００では、ＣＰＵ５２は、使用者によりおしり洗浄スイッチ１８ａかビデ洗浄スイッチ１８ｂのいずれかが操作された場合に洗浄開始が指示されたと判定する。ＣＰＵ５２は、洗浄開始が指示されたと判定すると、さらに、通常洗浄が指示されたか（Ｓ１１０）、ロック＆ムーブ洗浄が指示されたか（Ｓ１２０）、クリスクロス洗浄が指示されたか（Ｓ１３０）、サイドステップ洗浄が指示されたか（Ｓ１４０）、をそれぞれ判定する。ここで、ＣＰＵ５２は、Ｓ１００で洗浄開始が指示されたと判定した後に、ロック＆ムーブスイッチ１８ｃやクリスクロススイッチ１８ｄ、サイドステップスイッチ１８ｅのいずれも操作されてなければ、Ｓ１１０で通常洗浄が指示されたと判定する。ＣＰＵ５２は、Ｓ１１０で通常洗浄が指示されたと判定すると、第１ノズル４０と第２ノズル４２との２本のノズルのうち一方のノズルをおしり洗浄用の所定の洗浄位置やビデ洗浄用の所定の洗浄位置（以下、単に「洗浄位置」という）で固定して洗浄水を噴出させることにより、通常洗浄を行う（Ｓ１５０）。なお、ＣＰＵ５２は、一方のノズルが洗浄位置まで進出していなければ、一方のノズルが洗浄位置まで移動するように対応するノズル駆動部を制御する。また、ＣＰＵ５２は、一方のノズルが洗浄水を噴出するように、脈動ポンプ３２や切替バルブ３６を制御する。ＣＰＵ５２は、例えばおしり洗浄の場合には第１ノズル４０の直進噴出口４１ａを用いて局部洗浄を行い、ビデ洗浄の場合には第２ノズル４２の拡散噴出口４３ｂを用いて通常洗浄を行う。ただし、本実施形態では、第１ノズル４０と第２ノズル４２の各先端部材４１，４３を同様に構成したから、Ｓ１５０ではいずれのノズルを用いてもよい。
【００２６】
ＣＰＵ５２は、ロック＆ムーブスイッチ１８ｃの操作によりＳ１２０でロック＆ムーブ洗浄が指示されたと判定すると、第１ノズル４０と第２ノズル４２のうち一方のノズルを洗浄位置に固定すると共に他方のノズルを洗浄位置を中心に進退方向に揺動させながら、両ノズルから洗浄水を同時に噴出させるように各ノズル駆動部４４，４６や脈動ポンプ３２、切替バルブ３６を制御することにより、ロック＆ムーブ洗浄を行う（Ｓ１６０）。なお、２本のノズルが洗浄位置まで進出してなければ、ＣＰＵ５２は２本のノズルが洗浄位置まで移動するように各ノズル駆動部４４，４６を制御してから、２本のノズルが洗浄水を噴出するように脈動ポンプ３２や切替バルブ３６を制御する。Ｓ１７０，Ｓ１８０でも同様とする。
【００２７】
また、ＣＰＵ５２は、クリスクロススイッチ１８ｄの操作によりＳ１３０でクリスクロス洗浄が指示されたと判定すると、第１ノズル４０と第２ノズル４２とを洗浄位置を中心に進退方向に互い違いに揺動させながら、両ノズルから洗浄水を同時に噴出させるように各ノズル駆動部４４，４６や脈動ポンプ３２、切替バルブ３６を制御することにより、クリスクロス洗浄を行う（Ｓ１７０）。また、ＣＰＵ５２は、サイドステップスイッチ１８ｅの操作によりＳ１４０でサイドステップ洗浄が指示されたと判定すると、第１ノズル４０と第２ノズル４２とを洗浄位置に固定して、両ノズルから洗浄水を交互に噴出させるように脈動ポンプ３２や切替バルブ３６を制御することにより、サイドステップ洗浄を行う（Ｓ１８０）。
【００２８】
そして、ＣＰＵ５２は、Ｓ１５０〜Ｓ１８０のいずれかの洗浄動作を行うか、Ｓ１１０〜Ｓ１４０のいずれでもないと判定すると、各種調整指示が行われたか否かを判定する（Ｓ１９０）。Ｓ１９０の判定は、例えば温度調整スイッチ１８ｇや水勢調整スイッチ１８ｈなどが操作されたか否かに基づいて行われる。ＣＰＵ５２は、調整指示が行われたと判定すると、その調整指示に基づいて洗浄水の温度や勢いなどを調整するために熱交換ユニット２６や脈動ポンプ３２の制御を実行し（Ｓ２００）、調整指示が行われていないと判定すると、Ｓ２００をスキップする。なお、Ｓ１９０，Ｓ２００の処理は、このタイミングで行われるものに限られず、洗浄制御ルーチン中の任意のタイミングで行われるものであればよい。続いて、ＣＰＵ５２は、洗浄停止スイッチ１８ｆの操作により洗浄の停止が指示されたか否かを判定し（Ｓ２１０）、洗浄の停止が指示されていないと判定すると、Ｓ１１０に戻り処理を繰り返す。一方、ＣＰＵ５２は、洗浄の停止が指示されたと判定すると、第１ノズル４０や第２ノズル４２からの洗浄水の噴出を停止すると共に洗浄位置にある第１ノズル４０や第２ノズル４２を格納位置に移動させることにより、局部洗浄を終了して（Ｓ２２０）、洗浄制御ルーチンを終了する。
【００２９】
ここで、図５はおしり洗浄パターンの洗浄動作イメージの一例を示す説明図であり、図６はビデ洗浄パターンの洗浄動作イメージの一例を示す説明図である。図５，図６では、通常洗浄以外のロック＆ムーブ洗浄、クリスクロス洗浄、サイドステップ洗浄における洗浄動作イメージを示す。また、第１ノズル４０から噴出される洗浄水の洗浄範囲を点線で示し、第２ノズル４２から噴出される洗浄水の洗浄範囲を一点鎖線で示す。また、黒丸は、所定の洗浄位置に固定された第１ノズル４０や第２ノズル４２から噴出される洗浄水の洗浄範囲の中心位置を示す。
【００３０】
おしり洗浄のロック＆ムーブ洗浄は、図５に示すように、ロック＆ムーブ１，２のいずれかで行われる。ロック＆ムーブ１は、第１ノズル４０を固定すると共に第２ノズル４２を揺動させながら、直進噴出口４１ａと拡散噴出口４３ｂとから洗浄水を同時に噴出させる。ロック＆ムーブ１では、直進噴出口４１ａから時刻ｔ１０〜ｔ１８のいずれも比較的狭い固定の洗浄範囲に比較的強めの洗浄水が噴出され、拡散噴出口４３ｂから時刻ｔ１０〜ｔ１８毎に移動する比較的広い洗浄範囲に比較的弱めの洗浄水が噴出される。また、ロック＆ムーブ２は、第２ノズル４２を固定すると共に第１ノズル４０を揺動させながら、直進噴出口４１ａと拡散噴出口４３ｂとから洗浄水を同時に噴出させる。ロック＆ムーブ２では、直進噴出口４１ａから時刻ｔ２０〜ｔ２８毎に移動する比較的狭い洗浄範囲に比較的強めの洗浄水が噴出され、拡散噴出口４３ｂから時刻ｔ２０〜ｔ２８のいずれも比較的広い固定の洗浄範囲に比較的弱めの洗浄水が噴出される。
【００３１】
ビデ洗浄のロック＆ムーブ洗浄は、図６に示すように、おしり洗浄のロック＆ムーブ洗浄と同様に、ロック＆ムーブ１，２のいずれかで行われるため、詳細な説明は省略する。このようなロック＆ムーブ洗浄により、固定した洗浄範囲に噴出される洗浄水と揺動する洗浄範囲に噴出される洗浄水とで同時に局部洗浄されるという新たな洗浄感を使用者に与えることができる。また、一方の洗浄範囲を固定しつつ他方の洗浄範囲を揺動（移動）させるから、１本のノズルから２種類の洗浄水を噴出させる洗浄では得られない新たな洗浄感を与えることができる。さらに、比較的狭い洗浄範囲に噴出される強めの洗浄水を固定しつつ比較的広い洗浄範囲に噴出される弱めの洗浄水を揺動させるロック＆ムーブ１と、比較的広い洗浄範囲に噴出される弱めの洗浄水を固定しつつ比較的狭い洗浄範囲に噴出される強めの洗浄水を揺動させるロック＆ムーブ２とを使用者に選択可能としたから、使用者の好みの洗浄感に適切に対応することができる。なお、おしり洗浄スイッチ１８ａの操作により洗浄開始した以降やビデ洗浄スイッチ１８ｂの操作により洗浄開始した以降は、ロック＆ムーブスイッチ１８ｃが操作される度に、ロック＆ムーブ１、ロック＆ムーブ２、ロック＆ムーブ解除（通常のおしり洗浄やビデ洗浄）の順に洗浄パターンが切り替わるものとする。以下のクリスクロス洗浄やサイドステップ洗浄でも、同様にスイッチ操作の度に洗浄パターンが切り替わるものとする。
【００３２】
おしり洗浄のクリスクロス洗浄は、図５に示すように、クリスクロス１，２のいずれかで行われる。クリスクロス１，２では、第１ノズル４０と第２ノズル４２とを洗浄位置を中心として、互い違いに揺動（互いに反対方向に揺動）させながら、直進噴出口４１ａと直進噴出口４３ａとから洗浄水を同時に噴出させる。このため、クリスクロス１では、直進噴出口４１ａから噴出される洗浄水の洗浄範囲と、直進噴出口４３ａから噴出される洗浄水の洗浄範囲とが、互いに重なり合う初期状態から（時刻ｔ３０）、互いに離間した後に再び近付いて重なり合う状態となり（時刻ｔ３１〜ｔ３４）、また互いに離間した後に再び近付いて重なり合う状態となるように（時刻ｔ３５〜ｔ３８）、移動を繰り返すことになる。なお、クリスクロス洗浄において、洗浄範囲が互いに重なり合う状態では、第１ノズル４０の洗浄範囲を示す。クリスクロス２では、２本のノズルの洗浄範囲が重なり合っている時間がクリスクロス１と異なる移動パターンとなっている。クリスクロス１では時刻ｔ３４で洗浄範囲が重なり合っているのに対し、クリスクロス２では時刻ｔ４４〜ｔ４６に亘る比較的長い時間で洗浄範囲が重なり合っている。これにより、クリスクロス１では、比較的強めの洗浄水で広い範囲を満遍なく洗浄するのに対し、クリスクロス２では、比較的強めの洗浄水で広い範囲を洗浄しつつ中心位置を重点的に洗浄するものとなる。また、洗浄範囲の移動パターンを変化させて、異なる洗浄感を与えることができる。
【００３３】
ビデ洗浄のクリスクロス洗浄は、図６に示すように、クリスクロス３，４のいずれかで行われる。クリスクロス３，４では、第１ノズル４０と第２ノズル４２とを洗浄位置を中心として互い違いに揺動させながら、拡散噴出口４１ｂと拡散噴出口４３ｂとから洗浄水を同時に噴出させる。なお、クリスクロス３，４における時刻毎の洗浄範囲の移動パターンは、それぞれクリスクロス１，２の時刻毎の洗浄範囲の移動パターンと同様となっている。これにより、クリスクロス３では、比較的弱めの洗浄水で広い範囲を満遍なく洗浄するのに対し、クリスクロス４では、比較的弱めの洗浄水で広い範囲を洗浄しつつ中心位置を重点的に洗浄するものとなる。また、洗浄範囲の移動パターンを変化させて、異なる洗浄感を与えることができる。
【００３４】
おしり洗浄のサイドステップ洗浄は、図５に示すように、サイドステップ１で行われる。サイドステップ１では、第１ノズル４０と第２ノズル４２とを洗浄位置に固定し、直進噴出口４１ａと直進噴出口４３ａとから洗浄水を交互に噴出させる。図５では、時刻ｔ５０，ｔ５２，ｔ５４，ｔ５６，ｔ５８で直進噴出口４１ａから洗浄水を噴出させ、時刻ｔ５１，ｔ５３，ｔ５５，ｔ５７で直進噴出口４３ａから洗浄水を噴出させる様子を示す。
【００３５】
ビデ洗浄のサイドステップ洗浄は、図６に示すように、サイドステップ２で行われる。サイドステップ２では、第１ノズル４０と第２ノズル４２とを洗浄位置に固定し、拡散噴出口４１ｂと拡散噴出口４３ｂとから洗浄水を交互に噴出させる。図６では、時刻ｔ５０，ｔ５２，ｔ５４，ｔ５６，ｔ５８で拡散噴出口４１ｂから洗浄水を噴出させ、時刻ｔ５１，ｔ５３，ｔ５５，ｔ５７で拡散噴出口４３ｂから洗浄水を噴出させる様子を示す。このようなサイドステップ洗浄により、左右のノズルから交互に噴出される洗浄水で局部洗浄されるという新たな洗浄感を使用者に与えることができる。
【００３６】
以上説明した本実施形態の洗浄便座装置１０は、第１ノズル４０および第２ノズル４２をいずれも洗浄位置に進出させて、２本のノズルから人体局部に向けて洗浄水を噴出する。このため、既存の装置構成を複雑化することなく、新たな洗浄感を適切に与えることができる。また、２本のノズルから広狭の異なる洗浄範囲に強弱の異なる洗浄水を噴出したり、各洗浄範囲を移動させたりすることができるから、洗浄効果を高めることができる。それだけでなく、１のノズルから強めの洗浄水のみで局部洗浄する場合などに比して、洗浄水が当たる際に使用者が感じる痛みを和らげたり、マッサージ効果を高めたりする効果も奏するものとなる。
【００３７】
また、洗浄便座装置１０は、第１ノズル４０および第２ノズル４２のうち一方のノズルを所定の洗浄位置に固定させて洗浄水を噴出させると共に他方のノズルを洗浄位置を中心として進退方向に揺動させながら洗浄水を噴出させるロック＆ムーブ洗浄を行う。このため、固定されたノズルと揺動させるノズルとから同時に噴出される洗浄水で局部洗浄されるという新たな洗浄感を使用者に与えることができる。
【００３８】
また、洗浄便座装置１０は、第１ノズル４０および第２ノズル４２を洗浄位置を中心として進退方向に互い違いに揺動させながら洗浄水を噴出させるクリスクロス洗浄を行う。このため、２本のノズルを共に揺動させながら同時に噴出される洗浄水で局部洗浄されるという新たな洗浄感を使用者に与えることができる。
【００３９】
また、洗浄便座装置１０は、第１ノズル４０および第２ノズル４２をそれぞれ所定の洗浄位置に固定させて洗浄水を交互に噴出させるサイドステップ洗浄を行う。このため、左右のノズルから交互に噴出される洗浄水で局部洗浄されるという新たな洗浄感を使用者に与えることができる。
【００４０】
また、洗浄便座装置１０は、第１ノズル４０および第２ノズル４２に洗浄範囲が異なる直進噴出口４１ａ，４３ａおよび拡散噴出口４１ｂ，４３ｂが形成されているから、２本のノズルから噴出される洗浄水による洗浄のバリエーションを増やして、洗浄感をさらに向上させることができる。
【００４１】
実施形態では、おしり洗浄のロック＆ムーブ洗浄とビデ洗浄のロック＆ムーブ洗浄とが同じ洗浄パターン（ロック＆ムーブ１，２）であるものとしたが、これに限られず、異なる洗浄パターンとしてもよい。例えば、おしり洗浄のロック＆ムーブ洗浄はロック＆ムーブ１で行い、ビデ洗浄のロック＆ムーブ洗浄はロック＆ムーブ２で行うものなどとしてもよい。あるいは、おしり洗浄のロック＆ムーブ洗浄では、固定させた第１ノズル４０の直進噴出口４１ａからの洗浄水と、揺動させる第２ノズル４２の直進噴出口４３ａからの洗浄水とを同時に噴出させるものとし、ビデ洗浄のロック＆ムーブ洗浄では、固定させた第１ノズル４０の拡散噴出口４１ｂからの洗浄水と、揺動させる第２ノズル４２の拡散噴出口４３ｂからの洗浄水とを同時に噴出させるものなどとしてもよい。なお、図５，図６のロック＆ムーブ洗浄は一例であり、一方のノズルを固定させると共に他方のノズルを揺動させながら洗浄水を同時に噴出させるものであれば如何なる洗浄パターンとしてもよい。
【００４２】
実施形態では、おしり洗浄のクリスクロス洗浄とビデ洗浄のクリスクロス洗浄とが異なる洗浄パターンとしたが、これに限られず、共通の洗浄パターンを有するものとしてもよい。なお、図５，図６のクリスクロス洗浄は一例であり、２本のノズルを互い違いに揺動させながら洗浄水を同時に噴出させるものであれば如何なる洗浄パターンとしてもよい。
【００４３】
実施形態では、おしり洗浄のサイドステップ洗浄とビデ洗浄のサイドステップ洗浄とが異なる洗浄パターンとしたが、これに限られず、共通の洗浄パターンを有するものとしてもよい。なお、図５，図６のサイドステップ洗浄は一例であり、２本のノズルを固定させて洗浄水を交互に噴出させるものであれば如何なる洗浄パターンとしてもよい。
【００４４】
実施形態では、２本のノズルを同時に用いた局部洗浄として、ロック＆ムーブ洗浄とクリスクロス洗浄とサイドステップ洗浄との３種類の洗浄が可能であるものとしたが、これに限られず、いずれか１種類または２種類の洗浄が可能であるものとしてもよい。
【００４５】
実施形態では、第１ノズル４０および第２ノズル４２に洗浄水を供給する水回路として、熱交換ユニット２６や脈動ポンプ３２、切替バルブ３６を共用する構成を例示したが、これに限られるものではない。図７は変形例の洗浄便座装置１０Ｂの構成の概略を示す構成図である。洗浄便座装置１０Ｂは、第１ノズル４０を有するノズルユニット３０Ａと、第２ノズル４２を有するノズルユニット３０Ｂとの２つのノズルユニットを備える。また、給水路２０の減圧弁２４の下流側から分岐して、熱交換ユニット２６Ｂと、水温センサ２８Ｂと、流量センサ２９Ｂとが設けられた給水路２０Ｂを備える。この変形例では、給水路２０を経た洗浄水は、ノズルユニット３０Ａの脈動ポンプ３２と切替バルブ３６とを経て第１ノズル４０に供給される。また、給水路２０Ｂを経た洗浄水は、ノズルユニット３０Ｂの脈動ポンプ３２Ｂと切替バルブ３６Ｂとを経て第２ノズル４２に供給される。
【００４６】
このように、変形例の洗浄便座装置１０Ｂでは、第１ノズル４０への洗浄水の水回路と、第２ノズル４２への洗浄水の水回路とが別々の回路として構成されている。このため、制御装置５０は、異なる温度に洗浄水を加温するように熱交換ユニット２６，２６Ｂを制御することで、第１ノズル４０と第２ノズル４２とから異なる水温の洗浄水を噴出させることができる。また、制御装置５０は、異なる脈動周波数で駆動するように脈動ポンプ３２，３２Ｂを制御することで、第１ノズル４０と第２ノズル４２とから異なる勢いの洗浄水を噴出させることができる。また、第１ノズル４０と第２ノズル４２とから単位時間当たりに噴出される洗浄水の水量が異なるものとなる。なお、脈動ポンプ３２，３２Ｂの吐出能力を異なる構成とすることで、第１ノズル４０と第２ノズル４２とから噴出される洗浄水の水量が異なるものとしてもよい。また、洗浄便座装置１０Ｂでは、操作パネル１８Ｂに、第１ノズル４０の洗浄水の温度を調整する第１温度調整スイッチ１８ｉと、第１ノズル４０の洗浄水の勢いを調整する第１水勢調整スイッチ１８ｊと、第２ノズル４２の洗浄水の温度を調整する第２温度調整スイッチ１８ｋと、第２ノズル４２の洗浄水の勢いを調整する第２水勢調整スイッチ１８ｌとが設けられている。これらのことから、洗浄便座装置１０Ｂは、第１ノズル４０と第２ノズル４２に水量や水勢（洗浄強さ）、水温の少なくともいずれかが異なる洗浄水を供給可能となる。したがって、ロック＆ムーブ洗浄やクリスクロス洗浄、サイドステップ洗浄において、両ノズルから噴出される洗浄水の水量、水温、洗浄強さの少なくともいずれかを異なるものとすることができるから、２本のノズルから噴出される洗浄水による洗浄のバリエーションを増やして、洗浄感をさらに向上させることができる。
【００４７】
なお、上述した実施形態においても、第１ノズル４０および第２ノズル４２に水量や水温が異なる洗浄水を供給可能としてもよい。例えば、第１ノズル４０に洗浄水を供給する供給ホース３６ａ，３６ｂと、第２ノズル４２に洗浄水を供給する供給ホース３６ｃ，３６ｄの長さを異ならせたり、断熱性能を異ならせたりすることで、水温が異なる洗浄水を供給可能としたり、いずれかのホース径や流路径を異ならせたりすることで水量を異ならせたりしてもよい。
【００４８】
実施形態では、先端部材４１，４３を同じ形状としたが、これに限られず、異なる形状としてもよい。図８は変形例の先端部材４１，４３Ｂを示す構成図である。図８（ａ）の先端部材４１は、実施形態と同じ形状である。一方、図８（ｂ）の第２ノズル４２の先端部材４３Ｂは、拡散噴出口４３ｂは形成されているものの、直進噴出口４３ａは形成されずに省略されている。このため、１本のノズルを用いた通常洗浄では、第１ノズル４０はおしり洗浄用となり、第２ノズル４２はビデ洗浄用となる。この変形例では、第２ノズル４２に直進噴出口４３ａが形成されないから、図５に例示したクリスクロス１，２やサイドステップ１は行わないものとする。なお、おしり洗浄のクリスクロス洗浄は、第１ノズル４０の直進噴出口４１ａと、第２ノズル４２の拡散噴出口４３ｂとを用いて行うものとしてもよいし、クリスクロス３，４で行うものとしてもよい。また、おしり洗浄のサイドステップ洗浄は、第１ノズル４０の直進噴出口４１ａと、第２ノズル４２の拡散噴出口４３ｂとを用いて行うものとしてもよいし、サイドステップ２で行うものとしてもよい。なお、先端部材４１において、拡散噴出口４１ｂが形成されずに省略されるものとしてもよい。
【００４９】
実施形態の主要な要素と課題を解決するための手段の欄に記載した発明の主要な要素との対応関係について説明する。実施形態では、第１ノズル４０と第２ノズル４２とが「２本のノズル」に相当し、洗浄便座装置１０が「洗浄便座装置」に相当し、第１ノズル駆動部４４と第２ノズル駆動部４６とが「駆動部」に相当し、脈動ポンプ３２と切替バルブ３６とが「供給部」に相当し、制御装置５０が「制御部」に相当する。
【００５０】
なお、実施形態の主要な要素と課題を解決するための手段の欄に記載した発明の主要な要素との対応関係は、実施形態が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施形態は課題を解決するための手段の欄に記載した発明の具体的な一例に過ぎないものである。
【００５１】
以上、本発明を実施するための形態について実施形態を用いて説明したが、本発明はこうした実施形態に何等限定されるものではなく、本発明の要旨を逸脱しない範囲内において、種々なる形態で実施し得ることは勿論である。
【産業上の利用可能性】
【００５２】
本発明は、洗浄便座装置の製造産業などに利用可能である。
【符号の説明】
【００５３】
１  便器、１０，１０Ｂ  洗浄便座装置、１２  便座装置本体、１４  便座、１６  便蓋、１８  操作パネル、１８ａ  おしり洗浄スイッチ、１８ｂ  ビデ洗浄スイッチ、１８ｃ  ロック＆ムーブスイッチ、１８ｄ  クリスクロススイッチ、１８ｅ  サイドステップスイッチ、１８ｆ  洗浄停止スイッチ、１８ｇ  温度調整スイッチ、１８ｈ  水勢調整スイッチ、１８ｉ  第１温度調整スイッチ、１８ｊ  第２温度調整スイッチ、１８ｋ  第１水勢調整スイッチ、１８ｌ  第２水勢調整スイッチ、２０，２０Ｂ  給水路、２２  止水電磁弁、２４  減圧弁、２６，２６Ｂ  熱交換ユニット、２８，２８Ｂ  水温センサ、２９，２９Ｂ  流量センサ、３０，３０Ａ，３０Ｂ  ノズルユニット、３２，３２Ｂ  脈動ポンプ、３４  バキュームブレーカ、３６，３６Ｂ  切替バルブ、３６ａ〜３６ｄ  供給ホース、４０  第１ノズル、４１，４３  先端部材、４１ａ，４３ａ  直進噴出口、４１ｂ，４３ｂ  拡散噴出口、４２  第２ノズル、４４  第１ノズル駆動部、４４ａ，４６ａ  モータ、４６  第２ノズル駆動部、５０  制御装置、５２  ＣＰＵ、５４  ＲＯＭ、５６  ＲＡＭ、５８  タイマ。
【図１】
2020176413.tif 000003
【図２】
2020176413.tif 000004
【図３】
2020176413.tif 000005
【図４】
2020176413.tif 000006
【図５】
2020176413.tif 000007
【図６】
2020176413.tif 000008
【図７】
2020176413.tif 000009
【図８】
2020176413.tif 000010